【手続補正書】
【提出日】平成28年2月10日(2016.2.10)
【手続補正１】
【補正対象書類名】特許請求の範囲
【補正対象項目名】全文
【補正方法】変更
【補正の内容】
【特許請求の範囲】
【請求項１】
潤滑剤組成物であって、
（ａ）１００℃での動粘度が１５ｍｍ２／ｓ未満の潤滑粘度の油５〜９８．２重量％と、
（ｂ）（ｉ）少なくとも６個の炭素原子を含むα−オレフィンモノマーおよび（ｉｉ）エチレン性不飽和カルボン酸またはその誘導体から誘導される単位を含む骨格を有し、（ｉ）α−オレフィンモノマーと（ｉｉ）カルボン酸または誘導体モノマーのモル比が１：３〜３：１であり、さらにアミンとコポリマーとの反応から誘導される窒素官能基を含む、エステル化されたコポリマーであって、０．０１〜１．５重量％の窒素を含む、コポリマー１．５〜５４重量％と、
（ｃ）少なくとも３個の炭素原子を含むオレフィンモノマー単位を含み、このような単位の少なくとも５０重量％が、６個より少ない炭素原子を含み、このモノマー単位の５重量％未満がエチレンモノマー単位であり、１００℃での動粘度が少なくとも１０００ｍｍ２／ｓであるポリマー０．３〜３０重量％とを含み；
ポリマー（ｂ）および（ｃ）は、重量比（ｂ）：（ｃ）が１：１０〜１０：１、または１：１〜１０：１、または６：４〜９：１になるように存在し、ポリマー（ｂ）と（ｃ）の合計量が、該潤滑剤組成物の３〜６０重量％である、潤滑剤組成物。
【請求項２】
前記コポリマー（ｂ）の骨格は、さらに、ビニル芳香族モノマーの単位を含む、請求項１に記載の潤滑剤組成物。
【請求項３】
前記コポリマー（ｂ）は、８〜１６個の炭素原子を含むα−オレフィンのエステル化されたコポリマーと、無水マレイン酸とを、１：２〜１．５：１のモル比で含む、請求項１または請求項２に記載の潤滑剤組成物。
【請求項４】
前記コポリマー（ｂ）のエステル官能基は、アルコールの混合物から誘導され、前記混合物は、β位またはもっと離れた位置で分岐している一級アルコールと、直鎖一級アルコールとを含む、請求項１〜３のいずれか１項に記載の潤滑剤組成物。
【請求項５】
前記アミンが、モルホリン、イミダゾリノン、アミノアミド、β−アラニンアルキルエステル、脂肪族アミン、芳香族アミン、脂肪族ポリアミン、芳香族ポリアミンおよびこれらの混合物からなる群から選択される、請求項１〜４のいずれか１項に記載の潤滑剤組成物。
【請求項６】
（ｂ）のポリマーが、０．０５〜０．７５、または０．０５〜０．５、または０．０７５〜０．２５重量％の窒素を含み、（ｂ）のポリマーは、重量平均分子量が５，０００から３０，０００まで、または２５，０００までである、請求項１〜５のいずれか１項に記載の潤滑剤組成物。
【請求項７】
（ｂ）のポリマーの量が２〜５０重量％である、請求項１〜６のいずれか１項に記載の潤滑剤組成物。
【請求項８】
（ｃ）のポリマーがポリイソブチレンを含む、請求項１〜７のいずれか１項に記載の潤滑剤組成物。
【請求項９】
（ｃ）のポリマーは、数平均分子量が１０００〜３０００であり、（ｃ）のポリマーの量が１〜２０重量％である、請求項１〜８のいずれか１項に記載の潤滑剤組成物。
【請求項１０】
潤滑剤組成物を調製するためのプロセスであって、このプロセスが、
（Ａ）
（１）（ｉ）少なくとも６個の炭素原子を含むα−オレフィンおよび（ｉｉ）エチレン性不飽和カルボン酸またはその誘導体を反応させてコポリマーを作製し、（ｉ）α−オレフィンモノマーと（ｉｉ）カルボン酸または誘導体モノマーのモル比が１：３〜３：１であり；
（２）工程（１）の該コポリマーをエステル化し、エステル化されたコポリマーを作製し；
（３）工程（２）の該コポリマーとアミンとを、０．０１〜１．５重量％の窒素を含むエステル化されたコポリマーを与える量で反応させることを含む、エステル化されたコポリマーを作製することと；
（Ｂ）（Ａ）から得た該エステル化されたコポリマー１．５〜５４重量％と、（ｉ）１００℃での動粘度が１５ｍｍ２／ｓ未満の潤滑粘度の油５〜９８．２重量％、および（ｉｉ）少なくとも３個の炭素原子を含むオレフィンモノマー単位を含み、このような単位の少なくとも５０重量％が、６個より少ない炭素原子を含み、このモノマー単位の５重量％未満がエチレンモノマー単位であり、１００℃での動粘度が少なくとも１０００ｍｍ２／ｓであるポリマー０．３〜３０重量％とを混合することとを含み、
（Ａ）および（Ｂ）（ｉｉ）のポリマーが、（Ａ）：（Ｂ）（ｉｉ）が１：１０〜１０：１の重量比になるように存在し、ポリマー（Ａ）と（Ｂ）（ｉｉ）の合計量が、潤滑剤組成物の３〜６０重量％である、プロセス。
【請求項１１】
潤滑剤組成物を調製するためのプロセスであって、このプロセスが、
（Ａ）
（１）（ｉ）少なくとも６個の炭素原子を含むα−オレフィンおよび（ｉｉ）エチレン性不飽和カルボン酸のエステルを反応させてコポリマーを作製し、（ｉ）α−オレフィンモノマーと（ｉｉ）不飽和カルボン酸のエステルのモル比が１：３〜３：１であり；
（２）工程（１）の該コポリマーとアミンとを、０．０１〜１．５重量％の窒素を含むエステル化されたコポリマーを与える量で反応させることを含む、エステル化されたコポリマーを作製することと；
（Ｂ）（Ａ）から得たエステル化されたコポリマー１．５〜５４重量％と、（ｉ）１００℃での動粘度が１５ｍｍ２／ｓ未満である潤滑粘度の油５〜９８．２重量％および（ｉｉ）少なくとも３個の炭素原子を含むオレフィンモノマー単位を含み、このような単位の少なくとも５０重量％が、６個より少ない炭素原子を含み、このモノマー単位の５重量％未満がエチレンモノマー単位であり、１００℃での動粘度が少なくとも１０００ｍｍ２／ｓであるポリマー０．３〜３０重量％とを混合することとを含み、
（Ａ）および（Ｂ）（ｉｉ）のポリマーが、（Ａ）：（Ｂ）（ｉｉ）が１：１０〜１０：１の重量比になるように存在し、ポリマー（Ａ）と（Ｂ）（ｉｉ）の合計量が、該潤滑剤組成物の３〜６０重量％である、プロセス。
【請求項１２】
請求項１〜９のいずれか１項に記載の潤滑剤組成物を機械デバイスに供給することを含む、機械デバイスを潤滑する方法。
【請求項１３】
前記機械デバイスが、車両の動力伝達システムの構成要素を備えている、請求項１２に記載の方法。
【請求項１４】
自動車の動力伝達システムを潤滑するための請求項１〜９のいずれか１項に記載の潤滑剤組成物の使用。
【請求項１５】
潤滑剤組成物であって、
（ａ）１００℃での動粘度が１５ｍｍ２／ｓ未満の潤滑粘度の油５〜９８．２重量％と、
（ｂ）（ｉ）少なくとも６個の炭素原子を含むα−オレフィンモノマーおよび（ｉｉ）エチレン性不飽和カルボン酸またはその誘導体から誘導される単位を含む骨格を有し、（ｉ）α−オレフィンモノマーと（ｉｉ）カルボン酸または誘導体モノマーのモル比が１：３〜３：１であり、さらにアミンとコポリマーとの反応から誘導される窒素官能基を含む、エステル化されたコポリマーであって、０．０１〜１．５重量％の窒素を含む、コポリマー１．５〜５４重量％と、
（ｃ）少なくとも３個の炭素原子を含むオレフィンモノマー単位を含み、このような単位の少なくとも５０重量％が、６個より少ない炭素原子を含み、このモノマー単位の５重量％未満がエチレンモノマー単位であり、１００℃での動粘度が少なくとも２５０ｍｍ２／ｓまたは５００ｍｍ２／ｓまたは８００ｍｍ２／ｓまたは１０００ｍｍ２／ｓであるポリマー０．３〜３０重量％とを含み；
ポリマー（ｂ）および（ｃ）は、重量比（ｂ）：（ｃ）が１：１０〜１０：１、または１：１〜１０：１、または６：４〜９：１になるように存在し、ポリマー（ｂ）と（ｃ）の合計量が、該潤滑剤組成物の３〜６０重量％である、潤滑剤組成物。
【手続補正２】
【補正対象書類名】明細書
【補正対象項目名】０００６
【補正方法】変更
【補正の内容】
【０００６】
開示されている技術は、さらに、本明細書に記載する潤滑剤を用いて機械デバイス（例えば、ギア、またはギアを備えるデバイス、例えば、ハイポイドギア）を潤滑する方法も提供し、さらに、以下にさらに詳細に記載するように、このような組成物を調製するためのプロセスも提供する。
本発明は、例えば、以下を提供する。
（項目１）
潤滑剤組成物であって、
（ａ）１００℃での動粘度が約１５ｍｍ２／ｓ未満の潤滑粘度の油と、
（ｂ）（ｉ）少なくとも約６個の炭素原子を含むα−オレフィンモノマーおよび（ｉｉ）エチレン性不飽和カルボン酸またはその誘導体から誘導される単位を含む骨格を有し、（ｉ）α−オレフィンモノマーと（ｉｉ）カルボン酸または誘導体モノマーのモル比が約１：３〜約３：１であり、場合により、窒素官能基を含む、エステル化されたコポリマーと、
（ｃ）少なくとも３個の炭素原子を含むオレフィンモノマー単位を含み、このような単位の少なくとも５０重量％が、６個より少ない炭素原子を含み、このモノマー単位の５重量％未満がエチレンモノマー単位であり、１００℃での動粘度が少なくとも約１０００ｍｍ２／ｓであるポリマーとを含み；
ポリマー（ｂ）および（ｃ）は、重量比（ｂ）：（ｃ）が約１：１０〜約１０：１、または約１：１〜約１０：１、または約６：４〜約９：１になるように存在し、ポリマー（ｂ）と（ｃ）の合計量が、該潤滑剤組成物の約３〜約６０重量％である、潤滑剤組成物。
（項目２）
前記潤滑粘度の油が、合成ポリオレフィン炭化水素油を含む、項目１に記載の潤滑剤組成物。
（項目３）
前記コポリマー（ｂ）の骨格は、さらに、ビニル芳香族モノマーの単位を含む、項目１または項目２に記載の潤滑剤組成物。
（項目４）
前記コポリマー（ｂ）は、８〜１６個の炭素原子を含むα−オレフィンのエステル化されたコポリマーと、無水マレイン酸とを、約１：２〜約１．５：１のモル比で含む、項目１〜３のいずれか１項に記載の潤滑剤組成物。
（項目５）
前記コポリマー（ｂ）のエステル官能基は、アルコールの混合物から誘導される、項目１〜４のいずれか１項に記載の潤滑剤組成物。
（項目６）
前記アルコールの混合物は、β位またはもっと離れた位置で分岐している一級アルコールと、直鎖一級アルコールとを含む、項目５に記載の潤滑剤組成物。
（項目７）
前記アルコールの混合物は、（ｉ）約５０〜約９５モル％の８〜１０個の炭素原子を含む１種類以上のアルコールおよび約５〜約５０モル％の１２〜１８個の炭素原子を含む１種類以上のアルコールの混合物と、さらに、（ｉｉ）約０．０１〜約５モル％の５個以下の炭素原子を含むアルコールとを含む、項目５または項目６に記載の潤滑剤組成物。
（項目８）
前記アルコールの混合物は、（ｉ）約７０〜約９５モル％の８〜１０個の炭素原子を含む１種類以上のアルコールおよび約５〜約３０モル％の１２〜１８個の炭素原子を含む１種類以上のアルコールの混合物と、さらに、（ｉｉ）約０．０１〜約５モル％の５個以下の炭素原子を含むアルコールとを含む、項目５または項目６に記載の潤滑剤組成物。
（項目９）
前記コポリマー（ｂ）は、前記コポリマーとアミンとの反応から誘導される窒素官能基を含む、項目１〜８のいずれか１項に記載の潤滑剤組成物。
（項目１０）
前記アミンが、モルホリン、イミダゾリノン、アミノアミド、β−アラニンアルキルエステル、脂肪族アミン、芳香族アミン、脂肪族ポリアミン、芳香族ポリアミンおよびこれらの混合物からなる群から選択される、項目９に記載の潤滑剤組成物。
（項目１１）
前記アミンが、脂肪族モノアミンまたは脂肪族ポリアミンを含む、項目９に記載の潤滑剤。
（項目１２）
前記アミンが、Ｎ，Ｎ−ジメチルアミノプロピルアミン、１−（２−アミノエチル）イミダゾリン−２−オン、４−（３−アミノプロピル）モルホリンまたは１−（３−アミノプロピル）イミダゾールを含む、項目９に記載の潤滑剤。
（項目１３）
前記アミンが、４−アミノジフェニルアミンのカップリングした生成物を含む、項目９に記載の潤滑剤組成物。
（項目１４）
（ｂ）のポリマーが、約０．０１〜約１．５重量％の窒素（または０．０５〜０．７５、または０．０５〜０．５、または０．０７５〜０．２５重量％の窒素）を含む、項目１〜１３のいずれか１項に記載の潤滑剤。
（項目１５）
前記エチレン性不飽和カルボン酸モノマーから誘導される単位のカルボン酸官能基の約０．１〜約２５％が、窒素含有化合物でアミノ化されたもの、アミド化されたもの、イミド化されたもののうち、少なくとも１つである、項目１〜１４のいずれか１項に記載の潤滑剤。
（項目１６）
（ｂ）のポリマーは、重量平均分子量が約５，０００から約３０，０００まで、または約２５，０００までである、項目１〜１５のいずれか１項に記載の潤滑剤。
（項目１７）
（ｂ）のポリマーの量が約２〜約５０重量％である、項目１〜１６のいずれか１項に記載の潤滑剤。
（項目１８）
（ｃ）のポリマーがポリイソブチレンを含む、項目１〜１７のいずれか１項に記載の潤滑剤。
（項目１９）
（ｃ）のポリマーは、数平均分子量が約１０００〜約３０００である、項目１〜１８のいずれか１項に記載の潤滑剤。
（項目２０）
（ｃ）のポリマーの量が約１〜約２０重量％である、項目１〜１９のいずれか１項に記載の潤滑剤。
（項目２１）
ポリマー（ｂ）とポリマー（ｃ）の合計量は、前記潤滑組成物の約１０〜約５５重量％（または約２０〜５０、または約１０〜２５、または約２５〜５０、または約２５〜４０重量％）である、項目１〜２０のいずれか１項に記載の潤滑剤。
（項目２２）
清浄剤、分散剤、酸化防止剤、さらなる粘度向上剤、耐摩耗剤、けば立ち防止剤、極圧剤、腐食抑制剤、泡抑制剤、流動点降下剤、または摩擦調整剤のうち、少なくとも１つをさらに含む、項目１〜２１のいずれか１項に記載の潤滑剤。
（項目２３）
０．０１〜１重量％の硫黄と、０．００５〜０．１重量％のリンとを含む、項目１〜２２のいずれか１項に記載の潤滑剤。
（項目２４）
潤滑組成物を調製するためのプロセスであって、このプロセスが、
（Ａ）
（１）（ｉ）少なくとも約６個の炭素原子を含むα−オレフィンおよび（ｉｉ）エチレン性不飽和カルボン酸またはその誘導体を反応させてコポリマーを作製し、（ｉ）α−オレフィンモノマーと（ｉｉ）カルボン酸または誘導体モノマーのモル比が約１：３〜約３：１であり；
（２）工程（１）の該コポリマーをエステル化し、エステル化されたコポリマーを作製し；
（３）場合により、工程（２）の該コポリマーと窒素含有化合物とを、少なくとも約０．０１重量％の窒素を含むエステル化されたコポリマーを与える量で反応させることを含む、エステル化されたコポリマーを作製することと；
（Ｂ）（Ａ）から得た該エステル化されたコポリマーと、（ｉ）１００℃での動粘度が約１５ｍｍ２／ｓ未満の潤滑粘度の油、および（ｉｉ）少なくとも３個の炭素原子を含むオレフィンモノマー単位を含み、このような単位の少なくとも５０重量％が、６個より少ない炭素原子を含み、このモノマー単位の５重量％未満がエチレンモノマー単位であり、１００℃での動粘度が少なくとも約１０００ｍｍ２／ｓであるポリマーとを混合することとを含み、
（Ａ）および（Ｂ）（ｉｉ）のポリマーが、（Ａ）：（Ｂ）（ｉｉ）が約１：１０〜約１０：１の重量比になるように存在し、ポリマー（Ａ）と（Ｂ）（ｉｉ）の合計量が、潤滑剤組成物の約３〜約６０重量％である、プロセス。
（項目２５）
潤滑組成物を調製するためのプロセスであって、このプロセスが、
（Ａ）
（１）（ｉ）少なくとも約６個の炭素原子を含むα−オレフィンおよび（ｉｉ）エチレン性不飽和カルボン酸のエステルを反応させてコポリマーを作製し、（ｉ）α−オレフィンモノマーと（ｉｉ）不飽和カルボン酸のエステルのモル比が約１：３〜約３：１であり；
（２）場合により、工程（１）の該コポリマーと窒素含有化合物とを、少なくとも約０．０１重量％の窒素を含むエステル化されたコポリマーを与える量で反応させることを含む、エステル化されたコポリマーを作製することと；
（Ｂ）（Ａ）から得たエステル化されたコポリマーと、（ｉ）１００℃での動粘度が約１５ｍｍ２／ｓ未満である潤滑粘度の油および（ｉｉ）少なくとも３個の炭素原子を含むオレフィンモノマー単位を含み、このような単位の少なくとも５０重量％が、６個より少ない炭素原子を含み、このモノマー単位の５重量％未満がエチレンモノマー単位であり、１００℃での動粘度が少なくとも約１０００ｍｍ２／ｓであるポリマーとを混合することとを含み、
（Ａ）および（Ｂ）（ｉｉ）のポリマーが、（Ａ）：（Ｂ）（ｉｉ）が約１：１０〜約１０：１の重量比になるように存在し、ポリマー（Ａ）と（Ｂ）（ｉｉ）の合計量が、該潤滑剤組成物の約３〜約６０重量％である、プロセス。
（項目２６）
項目２４または項目２５に記載のプロセスによって調製された潤滑剤組成物。
（項目２７）
項目１〜２３または項目２６のいずれか１項に記載の潤滑剤を機械デバイスに供給することを含む、機械デバイスを潤滑する方法。
（項目２８）
前記機械デバイスがハイポイドギアを備えている、項目２７に記載の方法。
（項目２９）
前記機械デバイスが、車両の動力伝達システムの構成要素を備えている、項目２７または項目２８に記載の方法。
（項目３０）
自動車の動力伝達システムを潤滑するための項目１〜２３または項目２６のいずれか１項に記載の潤滑組成物の使用。
（項目３１）
潤滑剤組成物であって、
（ａ）１００℃での動粘度が約１５ｍｍ２／ｓ未満の潤滑粘度の油と、
（ｂ）（ｉ）少なくとも約６個の炭素原子を含むα−オレフィンモノマーおよび（ｉｉ）エチレン性不飽和カルボン酸またはその誘導体から誘導される単位を含む骨格を有し、（ｉ）α−オレフィンモノマーと（ｉｉ）カルボン酸または誘導体モノマーのモル比が約１：３〜約３：１であり、場合により、窒素官能基を含む、エステル化されたコポリマーと、
（ｃ）少なくとも３個の炭素原子を含むオレフィンモノマー単位を含み、このような単位の少なくとも５０重量％が、６個より少ない炭素原子を含み、このモノマー単位の５重量％未満がエチレンモノマー単位であり、１００℃での動粘度が少なくとも約２５０ｍｍ２／ｓまたは約５００ｍｍ２／ｓまたは約８００ｍｍ２／ｓまたは約１０００ｍｍ２／ｓであるポリマーとを含み；
ポリマー（ｂ）および（ｃ）は、重量比（ｂ）：（ｃ）が約１：１０〜約１０：１、または約１：１〜約１０：１、または約６：４〜約９：１になるように存在し、ポリマー（ｂ）と（ｃ）の合計量が、潤滑剤組成物の約３〜約６０重量％である、潤滑剤組成物。